(57)【要約】【課題】  ガスコンロの従来のイメージを一新すべく、斬新なデザインのガスコンロを提供する。【解決手段】  コンロ１の上面の長辺と平行な線状に相互に対向する２本の円筒状のバーナ２ａ、２ｂ、火力調整を行うツマミ形状の第１操作部３、及び着火領域の変更を行うスライド式レバー形状の第２操作部４及び第２操作部５を備える。両バーナは直線状に複数の炎孔が配置されて形成されており、操作者によって第２操作部４又は第２操作部５が操作されることで、バーナ２ａ又は２ｂの炎孔の露出領域が変更され、これによって被加熱領域２の着火領域が変更される。【選択図】        図１
2007271232.tif 000002
【特許請求の範囲】
【請求項１】
複数の炎孔が一又は複数の線状に配置されたバーナと、
前記バーナに供給される燃料ガスの流量を調整する火力調整部と、
前記バーナ及び前記火力調整部を収容する筐体と、
前記筐体の外部に設けられ、前記火力調整部に対して火力調整を操作する第１操作部と、
前記筐体の外部に設けられ、前記バーナから火炎の発生する着火領域の変更を操作する第２操作部と、を備えることを特徴とするガスコンロ。
【請求項２】
前記第２操作部が操作されることで、変更された前記着火領域に位置する前記炎孔が露出して着火可能状態となることを特徴とする請求項１に記載のガスコンロ。
【請求項３】
前記バーナが、前記第２操作部によって前記着火領域の変更操作が不可能な第１領域と、前記第１領域に隣接するとともに前記第２操作部によって前記着火領域の変更操作が可能な第２領域と、で構成され、
前記第２操作部の操作状態に拘らず、前記第１領域に位置する前記炎孔は常に露出していることを特徴とする請求項２に記載のガスコンロ。
【請求項４】
前記炎孔を遮蔽する遮蔽部材を備え、
前記第２操作部が操作されることで、前記遮蔽部材が、指定された前記着火領域に位置する前記炎孔から退避して当該炎孔が露出することを特徴とする請求項２又は請求項３に記載のガスコンロ。
【請求項５】
前記バーナが円筒形状で形成されるとともに、前記バーナと同軸状に構成された円筒形状の前記遮蔽部材が前記バーナを内包するように構成されることで前記炎孔を遮蔽自在に構成され、
前記第２操作部の操作状態に応じて、前記遮蔽部材が前記バーナの円筒軸方向に移動することで前記バーナを内包する領域が変化し、前記炎孔の露出状態が変化することを特徴とする請求項２〜請求項４の何れか１項に記載のガスコンロ。
【発明の詳細な説明】
【技術分野】
【０００１】
本発明は、キッチンや卓上等で利用可能なガスコンロに関する。
【背景技術】
【０００２】
キッチンや卓上等で利用されるガスコンロは、従来より多種多様なものが商品化されている（例えば非特許文献１参照）。
【０００３】
【非特許文献１】「ガス調理機器総合カタログ」、大阪瓦斯株式会社、２００２年、ｐ．２６
【発明の開示】
【発明が解決しようとする課題】
【０００４】
非特許文献１に記載の従来構成のガスコンロの構成を図７に示す。図７に示されるガスコンロ９０は、燃料となる都市ガスが供給されて火炎を噴出するバーナ９１と、火炎の点火及び出力の調整を行う操作ツマミ（以下、「操作部」と称する）９２と、鍋等の被加熱容器を載置するための五徳９３とを備える。
【０００５】
図７に示されるように、従来構成のガスコンロ９０は、中央に火炎を噴出するための炎孔が円環状に配列されたバーナ９１を有し、周囲に五徳９３を備える構成であり、そのデザインが画一的であった。又、バーナ９１の大きさは固定されているため、予め数種類の大きさのバーナ９１を備えて鍋の大小に合わせて使い分けが可能に構成されたガスコンロも商品化されている。
【０００６】
又、鍋等を載置するための五徳９３が存在するために、表面の凹凸が避けられず、ガスコンロの手入れや運搬には不便な形状であった。
【０００７】
本発明は上記の問題点に鑑み、表面の凹凸を少なくすることで手入れや運搬が容易なガスコンロを提供することを目的とする。更には、本発明は、ガスコンロの従来のイメージを一新すべく、斬新なデザインのガスコンロを提供することを目的とする。
【課題を解決するための手段】
【０００８】
上記目的を達成するための本発明に係るガスコンロは、複数の炎孔が一又は複数の線状に配置されたバーナと、前記バーナに供給される燃料ガスの流量を調整する火力調整部と、前記バーナ及び前記火力調整部を収容する筐体と、前記筐体の外部に設けられ、前記火力調整部に対して火力調整を操作する第１操作部と、前記筐体の外部に設けられ、前記バーナから火炎の発生する着火領域の変更を操作する第２操作部と、を備えることを第１の特徴とする。
【０００９】
上記第１の特徴構成によれば、バーナの形状を従来の円形から線状に変更することができ、ガスコンロのデザインの一新を図ることができる。又、バーナの着火領域を調整することができるため、加熱を行いたい部分についてのみ着火させることでガス使用量の節約効果が期待できる。更に、鍋のサイズに合わせてバーナの着火領域を調整することができるため、従来構成のバーナのようにサイズに合わせて複数種類のバーナを予め備える必要がない。
【００１０】
又、本発明に係るガスコンロは、上記第１の特徴構成に加えて、前記第２操作部が操作されることで、変更された前記着火領域に位置する前記炎孔が露出して着火可能状態となることを第２の特徴とする。
【００１１】
上記第２の特徴構成によれば、予め炎孔を遮蔽しておくとともに、第２操作部の操作に応じて一部の炎孔を露出させることで炎孔から燃料ガスを吐出可能にすることで、新たに炎孔が露出された箇所が着火可能状態となる。これによって第２操作部の操作に応じてバーナの着火領域を調整することができる。
【００１２】
尚、このとき、バーナに配置された炎孔の間隔は、炎孔から噴出された火炎が、隣接する炎孔から吐出される燃料ガスに自然引火可能な間隔であれば良く、例えば略１ｃｍ程度とすることができる。
【００１３】
又、本発明に係るガスコンロは、上記第２の特徴構成に加えて、前記バーナが、前記第２操作部によって前記着火領域の変更操作が不可能な第１領域と、前記第１領域に隣接するとともに前記第２操作部によって前記着火領域の変更操作が可能な第２領域と、で構成され、前記第２操作部の操作状態に拘らず、前記第１領域に位置する前記炎孔は常に露出していることを第３の特徴とする。
【００１４】
上記第３の特徴構成によれば、予め常に炎孔が露出している第１領域を備えることで、第２操作部の操作内容によって全ての炎孔が遮蔽されるという事態を避けることができる。
【００１５】
又、本発明に係るガスコンロは、上記第２又は第３の特徴構成に加えて、前記炎孔を遮蔽する遮蔽部材を備え、前記第２操作部が操作されることで、前記遮蔽部材が、指定された前記着火領域に位置する前記炎孔から退避して当該炎孔が露出することを第４の特徴とする。
【００１６】
上記第４の特徴構成によれば、第２操作部の操作によって遮蔽部材を移動させることで、露出状態の炎孔を遮蔽し、或いは遮蔽状態にある炎孔を露出させることができ、これによって着火領域を変更することができる。
【００１７】
又、本発明に係るガスコンロは、上記第２〜第４の何れか一の特徴構成に加えて、前記バーナが円筒形状で形成されるとともに、前記バーナと同軸状に構成された円筒形状の前記遮蔽部材が前記バーナを内包するように構成されることで前記炎孔を遮蔽自在に構成され、前記第２操作部の操作状態に応じて、前記遮蔽部材が前記バーナの円筒軸方向に移動することで前記バーナを内包する領域が変化し、前記炎孔の露出状態が変化することを第５の特徴とする。
【００１８】
上記第５の特徴構成によれば、遮蔽部材がバーナの円筒軸方向に移動することで、円筒軸方向に順次、露出状態の炎孔を遮蔽し、或いは遮蔽状態にある炎孔を露出させることができる。このとき、第２操作部をスライド式のレバーで構成することで、当該スライド方向と遮蔽部材の移動方向を一致させることができるため、操作内容が直感的で分かりやすくなる。
【発明の効果】
【００１９】
本発明に係るガスコンロによれば、バーナの形状を従来の円形から線状に変更することができ、ガスコンロのデザインの一新を図ることができる。又、コンロ上に突起を設けることで従来構成には必要であった五徳が不要となり、この結果、表面が一体化され略フラットなガスコンロを実現することができる。
【発明を実施するための最良の形態】
【００２０】
以下において、本発明に係るガスコンロ（以下、適宜「本発明コンロ」と略称する）の実施形態について図１〜図６を参照して説明する。
【００２１】
図１は、本発明コンロの概略構成図である。図１に示される本発明コンロ１は、コンロ上面の長辺と平行に２本の円筒状のバーナ２ａ、２ｂを備えるとともに、火力調整を行うための回転式の第１操作部３と、着火領域の変更を行うためのスライド式の第２操作部４、５を備える。又、本発明コンロ１の筐体前面１ａには、スリット６、７が設けられており、第２操作部４がスリット６内を、第２操作部５がスリット７内を、夫々、左右に移動可能に構成される。
【００２２】
バーナ２ａ、２ｂは、直線状に複数の炎孔が配置されるとともに、相互に対向しており、両バーナの各炎孔から内側に向けて火炎が噴出して内炎式バーナを構成する（図１における両バーナに挟まれた領域２を以下では「被加熱領域２」と称する）。各バーナ２ａ、及び２ｂには、ガス取入口（不図示）から流入する燃料ガス（例えば都市ガス）がガス流路（不図示）を介して供給される。又、本発明コンロ１は、点火を行うための高電圧発生装置及びバッテリー（電池等）を内部に備える。
【００２３】
又、後述するように、両バーナ２ａ、２ｂは、配列された炎孔が常時露出している領域（以下、「第１領域」と称する）と、炎孔の露出と遮蔽とを変更可能な領域（以下、「第２領域」と称する）とで構成される。操作者は第２操作部４、又は第２操作部５を操作することで、この第２領域における炎孔の露出領域（又は遮蔽領域）を変更することができる。尚、これらの炎孔は、略１ｃｍ間隔で配置されている。
【００２４】
炎孔が遮蔽されている場合、当該炎孔からは燃料ガスが外部に吐出されず燃焼されないため、当該箇所では火炎が発生しない。即ち、炎孔の露出領域を変更することは、バーナ２の着火領域を変更することと同義であり、以下では、炎孔の露出領域を変更することを「着火領域の変更」と記載する。
【００２５】
図１において、第２操作部４が領域Ｒにおける着火領域の変更操作を行うための操作手段であり、第２操作部５が領域Ｌにおける着火領域の変更操作を行うための操作手段である。又、バーナ２の中央部に位置する領域Ｃは、第２操作部４、又は第２操作部５の何れの操作部においても着火領域の変更操作を行うことのできない領域であり、常に当該領域内に存する炎孔は露出されている。即ち、領域Ｃが上記第１領域に該当し、領域Ｒ及び領域Ｌが上記第２領域に該当する。
【００２６】
第２操作部４が最も領域Ｃ寄りに位置しているとき（即ち、スリット６内の最左端に位置しているとき）、領域Ｒに存する全ての炎孔が遮蔽されており、操作者によって第２操作部４が領域Ｃから離れる方向（右方）に移動されることによって、その移動度に応じて領域Ｒに存する炎孔が、領域Ｃ側に位置する炎孔から順次露出状態となる。同様に、第２操作部５が最も領域Ｃ寄りに位置しているとき（即ち、スリット７内の最右端に位置しているとき）、領域Ｌに存する全ての炎孔が遮蔽されており、操作者によって第２操作部５が領域Ｃから離れる方向（左方）に移動されることによって、その移動度に応じて領域Ｌに存する炎孔が、領域Ｃ側に位置する炎孔から順次露出状態となる。
【００２７】
従って、図１に示される状態、即ち第２操作部４が最左端に位置し、第２操作部５が最右端に位置する状態においては、領域Ｒ及び領域Ｌに存する炎孔は全て遮蔽されており、炎孔が露出状態であるのは第１領域である領域Ｃのみである。この状態において、操作者が第１操作部３を回転させて着火操作を行うと、高電圧発生装置が通電してスパークが発生し、当該スパークが供給される都市ガスに引火することでバーナ２ａ、２ｂが着火する。この着火によって発生する火炎は、炎孔が露出状態である領域Ｃ内のみから噴出し、他の領域Ｒ及び領域Ｌからは噴出しない。操作者は、更に第１操作部を操作することで、領域Ｃから着火される炎の火力調整を行うことができる。
【００２８】
このような状態の下で、例えば操作者が第２操作部４を右方に移動させると、その移動長に応じて領域Ｒに存する炎孔が領域Ｃ側に位置する炎孔から順次露出状態となるため、当該露出された炎孔からは燃料ガスが吐出されるとともに、領域Ｃ内の炎孔から噴出する火炎が当該燃料ガスに引火することで、新たに露出状態となった炎孔が着火状態となる。上述したように略１ｃｍ間隔で炎孔が配置されることで、着火状態にある炎孔からの炎が隣接する炎孔から吐出される燃料ガスに自然と引火可能に構成されている。即ち、炎孔の配置間隔は、炎孔から噴出する火炎が、隣接する炎孔から吐出される燃料ガスに自然引火可能な間隔であれば良く、１ｃｍに限られるものではない。
【００２９】
又、第２操作部４が最左端以外の位置に存在する場合に、逆に操作者が第２操作部４を左方に移動させると、その移動長に応じて領域Ｒに存する炎孔が領域Ｃの外側に位置する炎孔から順次遮蔽状態となるため、当該炎孔からは燃料ガスが吐出不能となり、当該炎孔からは火炎が噴出されない。
【００３０】
即ち、操作者によって第２操作部４が右方に移動されることで領域Ｒにおける着火領域が拡大され、逆に第２操作部４が左方に移動されることで領域Ｒにおける着火領域が縮小される。
【００３１】
同様に、操作者によって第２操作部５が左方に移動されることで領域Ｌにおける着火領域が拡大され、逆に第２操作部５が右方に移動されることで領域Ｌにおける着火領域が縮小される。
【００３２】
図２及び図３は本発明コンロ１の内部を側面から見た概略断面図であり、図２は第２操作部４の位置における領域Ｒの断面図、図３は第１操作部３の位置における領域Ｃの断面図である。
【００３３】
後述するように、各バーナ２ａ、２ｂは円筒形状で構成され、同軸状に形成される円筒形状の遮蔽部材によって内包されている。この遮蔽部材は、第２操作部４或いは第２操作部５の操作に伴って円筒軸方向、即ち図１における左右方向に移動可能であり、遮蔽部材が移動することでバーナ２ａ、２ｂが備える炎孔の露出状態と遮蔽状態とが変更される。尚、上述したように、領域Ｒ及び領域Ｌは炎孔の露出と遮蔽とを変更可能な第２領域であるため、当該領域においてはバーナ２ａ、２ｂが上記遮蔽部材に内包される一方、領域Ｃは炎孔が常時露出している第１領域であるため、当該領域ではバーナ２ａ、２ｂは遮蔽部材によって被覆されていない。
【００３４】
図２に示されるように、第２操作部４はレール８上に設置されたスライド式レバー４ｃと一体となって接続されており、第２操作部４を左右に移動させることで当該レバー４ｃがレール８上を左右に移動可能に構成されている。又、スライド式レバー４ｃから分岐した分岐レバー４ａ、４ｂによって各バーナ２ａ、２ｂを被覆する遮蔽部材４１と連絡されている。即ち、第２操作部４が操作されて左右方向に移動すると、スライド式レバー４ｃがレール８上を左右に移動するとともに、このレバー４ｃと連結された分岐レバー４ａが移動することでバーナ２ａを被覆する遮蔽部材４１を移動させ、分岐レバー４ｂが移動することでバーナ２ｂを被覆する遮蔽部材４１を移動させる。
【００３５】
尚、コンロ１上部には、所定の間隔で突起９がバーナ２ａ及び２ｂの外部位置にバーナ２ａ及び２ｂが形成する線と平行に備えられており、コンロ１上に鍋等を載置する際に当該突起９と鍋の底部を接触させることによって、バーナ２との距離を一定に保つことで必要な空気を炎孔に流入可能状態を維持しつつ、安定に設置可能な形状となっている。
【００３６】
又、図３に示されるように、ガス取入口１０は第１操作部３に対して反対側に位置しており、このガス取入口１０より燃料ガスがガス流路１１に流入される。ガス流路１１は、ガス流路１１ａ、１１ｂへと分岐され、流入された燃料ガスはガス流路１１ａを介してガスバーナ２ａに供給され、ガス流路１１ｂを介してガスバーナ２ｂに供給される。又、ガス流路１１の途中には弁構造を有する火力調整部１２が備えられ、第１操作部３の操作によって火力調整部１２の開度が調整されることでガスバーナ２ａ、２ｂに供給されるガス流量が調整される。尚、上述のように、当該領域Ｃは上記第１領域であるため、図２にし示される領域Ｒの断面図と異なり、バーナ２ａ、２ｂには遮蔽部材が被覆されておらず、又、レール８及びスライド式レバー４を備えていない。即ち、図２における分岐レバー４ａ、４ｂの可動範囲内にガス流路１１ａ、１１ｂは存在しないため、分岐レバー４ａ、４ｂはガス流路１１ａ、１１ｂと交錯することなく領域Ｒ内を自在に移動可能に構成される。領域Ｌについても同様である。
【００３７】
図４はガスバーナ２ａの構造を示す概略図である。尚、ガスバーナ２ｂも２ａと同様の構成であるため、以下では代表してガスバーナ２ａについてのみ説明を行う。図４（ａ）に示されるように、ガスバーナ２ａは円筒形状で構成されるとともに、外部に同軸状に形成された円筒形状の遮蔽部材４１〜４４、５１〜５４を有し、各遮蔽部材４１〜４４、及び５１〜５４は夫々が蛇腹形状を形成している。
【００３８】
遮蔽部材４１〜４４、及び遮蔽部材５１〜５４によってバーナ２ａが被覆されることで、被覆箇所に存する炎孔が被加熱領域２から遮蔽される。尚、各遮蔽部材はコンロ１の外側に位置するほど口径が大きくなるように構成されており、内側に位置する遮蔽部材４１〜４３、５１〜５３は夫々一つ外側の遮蔽部材４２〜４４、５２〜５４に内接して収容可能に構成されている。
【００３９】
例えば図４（ａ）の状態の下で操作者によって第２操作部４が右方に移動されると、第２操作部の移動に伴って遮蔽部材４１が右方に移動して一部が遮蔽部材４２内に収容される。遮蔽部材４１の移動によって一部の炎孔２１が露出状態となり、これによって着火領域が拡大される。
【００４０】
更に第２操作部４が右方に移動されると、遮蔽部材４１が完全に遮蔽部材４２内に収容された後、遮蔽部材４２が内部の遮蔽部材４１とともに右方へ移動する。以下、同様に、遮蔽部材４１を内部に有する遮蔽部材４２が遮蔽部材４３内に収容され、遮蔽部材４２及び遮蔽部材４１を内部に有する遮蔽部材４３が遮蔽部材４４内に収容される。第２操作部５が左方に移動された場合についても同様である。
【００４１】
このようにして全ての遮蔽部材が両側に移動されると（図４（ｂ））、バーナ２ａが有する炎孔の露出状態が最大となり、着火領域が最大となる。このとき、上述したように最も外側に位置する遮蔽部材（４４、５４）には、夫々他の全ての遮蔽部材（４１〜４３、５１〜５３）が内部に収容される。尚、バーナ２ａが備える遮蔽部材の数は図４に示される数に限られない。
【００４２】
このように構成されることで、バーナの形状を、炎孔が円環状に配列された従来の円環形状から炎孔が直線状に配列された直線形状に変更することができ、ガスコンロのデザインの一新を図ることができる。又、バーナ２の外側にバーナ２が形成する線に沿って平行に備えられる突起９上に鍋等が安定的に載置可能であるため、従来構成のガスコンロに必要であった五徳が不要となり、凹凸が少なく表面が一体で形成された略フラットなガスコンロを実現できる。これによって使用後の手入れが容易になる。又、この突起９がコンロ内部に収容可能に構成されていれば更に好ましい。この場合、使用時のみコンロ表面上に突出させるとともに不使用時には内部に収容させておくことで、不使用時には完全に表面をフラットにすることができる。
【００４３】
又、レバー形状で構成される第２操作部４、５を左右に動かすことで着火領域が左右に拡大或いは縮小し、その移動距離がバーナの着火領域に対応する構成であるため、操作内容が直感的で分かりやすい。
【００４４】
又、本発明の構成によれば、バーナの着火領域を調整することができるため、加熱を行いたい部分についてのみ着火させることでガス使用量の節約効果が期待できる。更に、鍋のサイズに合わせてバーナの着火領域を調整することができるため、従来構成のバーナのようにサイズに合わせて複数種類のバーナを予め備える必要がない。
【００４５】
又、上記のように、表面をフラットにすることができるため、例えば図５に示されるようにコンロ上面に熱伝導率の高い鉄板等を載置することで間接加熱が可能となる。即ち、バーナ２上部に載置された鍋３５は、バーナ２から着火される炎によって直接的に加熱される一方、鉄板３３上に載置された鍋３４は鉄板３３を介して間接的に加熱が行われる。このように直接加熱部と間接加熱部を設けることができるため、当該コンロを活用することで調理の幅を広げることができる。
【００４６】
更に、本発明の構成によれば、表面をフラットにすることができるため、図６に示されるように本発明コンロ１を２つの筐体３１及び３２で構成するとともに、一方の筐体３２の一部分が他方の筐体３１内に収容可能に構成することが可能である。
【００４７】
即ち、利用されていない場合には、図６（ａ）に示されるように筐体３１内に筐体３２を収容することで、コンロ１をコンパクトにすることができるため、縦置き、横置きの何れの収納も可能であり、収納性が増すとともに携帯にも便利である。又、コンロ１を利用する場合には、図６（ｂ）に示されるように筐体３２を筐体３１から引き出して被加熱領域２を露出させれば良い。
【００４８】
＜他の実施形態＞
以下に他の実施形態について説明を行う。
【００４９】
〈１〉  上記実施形態では、バーナ形状をコンロの一辺と平行な直線状であるものとしたが、この形状に限られるものではなく、例えば、対角線に沿って斜めに構成されるものとしても良い。このように従来構成の円形状のガスコンロと比較して、形状の点でバリエーションを広げることができる。
【００５０】
又、図１では、向かい合う２本の直線状にバーナが構成されるものとしたが、コンロが備えるバーナのライン数は２本に限られるものではなく、１本のみから構成されていても構わないし、３本以上の直線状のバーナを備えても構わない。
【００５１】
更に、上述の実施形態では、バーナ形状を直線状としたが、直線状に限られず他の線状形成でも構わない。例えば、丸みを帯びた曲線状に炎孔が配列されることバーナが構成されるものとしても構わない。
【００５２】
〈２〉  上記実施形態では、バーナ２の中央部分に着火領域が変更不能な第１領域（Ｃ）を備え、第１領域の両側に着火領域の変更可能な第２領域（Ｒ、Ｌ）を備える構成であったが、第１領域をコンロの端部に有する構成であっても構わない。この場合は、第１領域に隣接して備えられる第２領域が１箇所で構成されるため、第２操作部を一つだけ備える構成であれば良い。又、そもそも第１領域を備えない構成であっても構わない。この場合は、第２操作部を操作することによって、全てのバーナ領域内において着火領域の変更を行うことができる。
【００５３】
〈３〉  本発明コンロ１は、燃料として都市ガスに限定されるものではなく、カセットコンロから供給される燃料ガス（例えばＬＰＧ）を利用するものであっても構わない。
【００５４】
〈４〉  上記実施形態では、バーナを包含する遮蔽部材が同軸上に蛇腹構造を構成するものとして説明を行ったが、この構造に限られるものではない。例えば、一層構造の遮蔽部材がバーナと同軸上にバーナを包含するように構成され、この遮蔽部材が同軸方向に移動することで炎孔の露出領域が変更されるものとしても構わないし、遮蔽部材が同軸方向を回転軸として回転することで炎孔の露出領域が変更されるものとしても構わない。このとき、前者の場合は移動後の遮蔽部材を収納する収納領域がコンロ内部に備えられており、後者の場合は遮蔽部材にバーナ位置に応じて大きさが同軸方向に変化する開口部が設けられるものとして良い。
【００５５】
〈５〉  上記実施形態では、着火領域の変更操作をスライド式レバーの操作によって行うものとしたが、例えばタッチパネルや操作子等の電気的な操作によって着火領域の変更操作が可能に構成されるものとしても構わない。この場合、入力された電気的操作内容を、炎孔の露出或いは遮蔽という機械的動作内容に変換可能な制御手段を内部に備える構成であるものとして良い。
【図面の簡単な説明】
【００５６】
【図１】本発明に係るガスコンロの概略斜視図
【図２】本発明に係るガスコンロの内部を側面から見た概略断面図
【図３】本発明に係るガスコンロの内部を側面から見た別の概略断面図
【図４】ガスバーナ２ａの構造を示す概略図
【図５】本発明に係るガスコンロの利用例
【図６】本発明に係るガスコンロの別の概略斜視図
【図７】従来構成のガスコンロの概略斜視図
【符号の説明】
【００５７】
１:  本発明に係るガスコンロ
１ａ：  ガスコンロ前面
２：    被加熱領域
２ａ、２ｂ：  ガスバーナ
３：  第１操作部
４、５：  第２操作部
４ｃ：  スライド式レバー
４ａ、４ｂ：  分岐レバー
６、７：  スリット
８：  レール
９：  突起
１０：  ガス取入口
１１、１１ａ、１１ｂ：  ガス流路
１２：  火力調整部
２１：  炎孔
３１、３２：  筐体
３３：  鉄板
３４、３５：  鍋
４１〜４４：    遮蔽部材
５１〜５４：    遮蔽部材
９０：    従来構成のガスコンロ
９１：    従来構成のガスコンロが備えるバーナ
９２：    従来構成のガスコンロが備える操作部
９３：    従来構成のガスコンロが備える五徳
【図１】
2007271232.tif 000003
【図２】
2007271232.tif 000004
【図３】
2007271232.tif 000005
【図４】
2007271232.tif 000006
【図５】
2007271232.tif 000007
【図６】
2007271232.tif 000008
【図７】
2007271232.tif 000009